(57)【要約】      （修正有）【課題】停止した内燃機関を速やかに始動すること。【解決手段】制御装置は、エンジンの気筒内への燃料の噴射を制御する噴射制御部１１０と、吸気通路に設けられたスロットルバルブの開閉を制御するスロットル開閉制御部１２０と、スロットルバルブの開度が第１規定開度以下であるか否かを判定する判定部と、クランクシャフトに無端ベルトを介して接続された出力軸を回転させるモータを制御するモータ制御部と、を有する。モータ制御部は、エンジンが停止される場合、噴射制御部１１０による噴射停止制御およびスロットル開閉制御部１２０による閉制御の後、判定部によってスロットルバルブの開度が第１規定開度以下であると判定された場合、モータから負トルクを出力させる負トルク発生制御を実行する。【選択図】図２
2018193897.tif 000002
【特許請求の範囲】
【請求項１】
内燃機関の気筒内への燃料の噴射を制御する噴射制御部と、
前記内燃機関に接続される吸気通路に設けられたスロットルバルブの開閉を制御するスロットル開閉制御部と、
前記スロットルバルブの開度が第１規定開度以下であるか否かを判定する判定部と、
前記内燃機関のクランクシャフトに所定部材を介して接続された出力軸を回転させるモータを制御するモータ制御部と、を有し、
前記モータ制御部は、
駆動中の前記内燃機関の停止が行われる場合、前記噴射制御部によって前記燃料の噴射を停止する制御が行われ、かつ、前記スロットル開閉制御部によって前記スロットルバルブを閉状態にする制御が行われた後、前記判定部によって前記スロットルバルブの開度が前記第１規定開度以下であると判定された場合、前記モータから負トルクを出力させる負トルク発生制御を実行する、
制御装置。
【請求項２】
前記判定部は、
前記負トルク発生制御の実行後、前記内燃機関の回転数が第１規定回転数以下であるか否かを判定し、
前記モータ制御部は、
前記判定部によって前記内燃機関の回転数が前記第１規定回転数以下であると判定された場合、前記負トルク発生制御を終了する、
請求項１に記載の制御装置。
【請求項３】
前記モータ制御部は、
前記判定部によって前記内燃機関の回転数が前記第１規定回転数以下であると判定される前に停止中の前記内燃機関が始動される場合、直ちに前記負トルク発生制御を終了する、
請求項２に記載の制御装置。
【請求項４】
前記スロットル開閉制御部は、
前記負トルク発生制御の終了後に、前記スロットルバルブを開状態にする制御を行う、
請求項２または３に記載の制御装置。
【請求項５】
前記判定部は、
停止中の前記内燃機関が始動される場合、前記スロットルバルブの開度が第２規定開度以上であるか否かを判定し、
前記モータ制御部は、
前記判定部によって前記スロットルバルブの開度が前記第２規定開度以上であると判定された場合、前記モータから正トルクを出力させるクランキング制御を実行する、
請求項４に記載の制御装置。
【請求項６】
前記判定部は、
前記クランキング制御の実行後、前記内燃機関の回転数が第２規定回転数以上であるか否かを判定し、
前記モータ制御部は、
前記判定部によって前記内燃機関の回転数が前記第２規定回転数以上であると判定された場合、前記クランキング制御を終了する、
請求項５に記載の制御装置。
【請求項７】
前記噴射制御部は、
前記クランキング制御の実行後、前記内燃機関の回転数が規定値に達した場合、前記燃料の噴射を実行する、
請求項５に記載の制御装置。
【請求項８】
内燃機関の気筒内への燃料の噴射と、前記内燃機関に接続される吸気通路に設けられたスロットルバルブの開閉と、および、前記内燃機関のクランクシャフトに所定部材を介して接続された出力軸を回転させるモータの駆動と、を制御する制御方法であって、
駆動中の前記内燃機関の停止が行われる場合、前記燃料の噴射を停止するとともに、前記スロットルバルブを閉状態にする制御を行い、
前記スロットルバルブの開度が第１規定開度以下であるか否かを判定し、
前記スロットルバルブの開度が前記第１規定開度以下であると判定した場合、前記モータから負トルクを出力させる、
制御方法。
【発明の詳細な説明】
【技術分野】
【０００１】
本発明は、内燃機関の停止時に制御を行う制御装置および制御方法に関する。
【背景技術】
【０００２】
従来、内燃機関を搭載した車両において、燃費の向上や排ガスの低減を目的として、アイドリングストップ制御が行われることが知られている。アイドリングストップ制御は、車両の停止時には内燃機関を自動的に（運転者の操作によらずに）停止し、車両の発進時には内燃機関を自動的に再始動させる制御である。
【０００３】
例えば特許文献１には、アイドリングストップ制御を行う際に、モータジェネレータを発電機として駆動させて負トルクを発生させることにより、内燃機関の回転を停止させる技術が開示されている。
【先行技術文献】
【特許文献】
【０００４】
【特許文献１】特開２００５−９４４９号公報
【発明の概要】
【発明が解決しようとする課題】
【０００５】
しかしながら、アイドリングストップ制御によって内燃機関が停止したときに気筒（シリンダ）内の圧力が高い状態であると、再始動時に残圧により内燃機関の回転が阻害される。その結果、内燃機関の再始動に時間がかかってしまう。
【０００６】
本発明の目的は、停止した内燃機関の速やかな始動を実現できる制御装置および制御方法を提供することである。
【課題を解決するための手段】
【０００７】
本発明の制御装置は、内燃機関の気筒内への燃料の噴射を制御する噴射制御部と、前記内燃機関に接続される吸気通路に設けられたスロットルバルブの開閉を制御するスロットル開閉制御部と、前記スロットルバルブの開度が第１規定開度以下であるか否かを判定する判定部と、前記内燃機関のクランクシャフトに所定部材を介して接続された出力軸を回転させるモータを制御するモータ制御部と、を有し、前記モータ制御部は、駆動中の前記内燃機関の停止が行われる場合、前記噴射制御部によって前記燃料の噴射を停止する制御が行われ、かつ、前記スロットル開閉制御部によって前記スロットルバルブを閉状態にする制御が行われた後、前記判定部によって前記スロットルバルブの開度が前記第１規定開度以下であると判定された場合、前記モータから負トルクを出力させる負トルク発生制御を実行する。
【０００８】
本発明の制御方法は、内燃機関の気筒内への燃料の噴射と、前記内燃機関に接続される吸気通路に設けられたスロットルバルブの開閉と、および、前記内燃機関のクランクシャフトに所定部材を介して接続された出力軸を回転させるモータの駆動と、を制御する制御方法であって、駆動中の前記内燃機関の停止が行われる場合、前記燃料の噴射を停止するとともに、前記スロットルバルブを閉状態にする制御を行い、前記スロットルバルブの開度が第１規定開度以下であるか否かを判定し、前記スロットルバルブの開度が前記第１規定開度以下であると判定した場合、前記モータから負トルクを出力させる。
【発明の効果】
【０００９】
本発明によれば、停止した内燃機関の速やかな始動を実現することができる。
【図面の簡単な説明】
【００１０】
【図１】本発明の実施の形態に係る内燃機関とその周辺の構成例を示す模式図
【図２】本発明の実施の形態に係るＥＣＵの構成例を示すブロック図
【図３】本発明の実施の形態に係るＨＣＵの構成例を示すブロック図
【図４】本発明の実施の形態に係るＥＣＵおよびＨＣＵの動作例を示すシーケンスチャート
【発明を実施するための形態】
【００１１】
以下、本発明の実施の形態について、図面を参照して詳細に説明する。
【００１２】
まず、本発明の実施の形態に係る内燃機関とその周辺の構成について、図１を用いて説明する。
【００１３】
図１は、本実施の形態に係る内燃機関とその周辺の構成例を示す模式図である。図１において、破線の矢印は、電気信号の流れを示している。
【００１４】
図１に示す各構成要素は、例えば、アイドリングストップ制御が行われる車両に搭載される。
【００１５】
ディーゼルエンジン（内燃機関の一例。以下、エンジンという）１の上流側には、インテークマニホールド２を介して吸気通路３が接続されている。なお、図示は省略するが、エンジン１の下流側には、エキゾーストマニホールドを介して排気通路が接続されている。
【００１６】
吸気通路３には、エンジン１に吸入されるエアの流量を調整するスロットルバルブ４が設けられている。スロットルバルブ４の開度は、ＥＣＵ（Engine Control Unit）１０によって制御される。
【００１７】
また、吸気通路３には、スロットルバルブ４の開度を検出する開度センサ５が設けられている。開度センサ５は、検出したスロットルバルブ４の開度（以下、検出開度という）を示す信号を、適宜、ＥＣＵ１０へ出力する。
【００１８】
また、図示は省略するが、エンジン１には、複数の気筒（シリンダ）と、各気筒内に燃料を噴射する燃料噴射装置（インジェクタ）とが備えられている。燃料噴射装置による燃料の噴射動作は、ＥＣＵ１０によって制御される。また、各気筒内には、気筒内を上下に摺動するピストン（図示略）が備えられている。
【００１９】
クランクシャフト６は、ピストンの上下運動を回転運動に変換するコンロッド（図示略）に接続されている。これにより、クランクシャフト６は回転する。なお、図示は省略するが、クランクシャフト６は、変速機、減速機を介し、車輪に接続された所定のシャフトに接続されている。
【００２０】
また、クランクシャフト６は、無端ベルトを介してモータジェネレータ（以下、モータという）８の出力軸９に接続されている。出力軸９は、モータ８の駆動によって回転する。モータ８は、ＨＣＵ（Hybrid Control Unit）２０によって制御される。
【００２１】
出力軸９の回転運動は、無端ベルト７を介してクランクシャフト６に伝達される。これにより、本実施の形態では、ＢＡＳ（Belted Alternator Starter）が実現される。なお、出力軸９とクランクシャフト６の接続手段は、無端ベルト７に限定されない。
【００２２】
なお、図示は省略するが、クランクシャフト６には、エンジン１の回転数を検出する回転数センサが設けられている。回転数センサは、検出した回転数（以下、検出回転数という）度を示す信号を、適宜、ＥＣＵ１０へ出力する。
【００２３】
ＥＣＵ１０およびＨＣＵ２０については、図２、図３を用いて後述する。本実施の形態に係るＥＣＵ１０およびＨＣＵ２０は、本発明の「制御装置」の一例に相当する。
【００２４】
以上、本発明の実施の形態に係る内燃機関とその周辺の構成について説明した。
【００２５】
次に、ＥＣＵ１０の構成について、図２を用いて説明する。図２は、ＥＣＵ１０の構成例を示すブロック図である。
【００２６】
ＥＣＵ１０は、噴射制御部１１０、スロットル開閉制御部１２０、および情報出力部１３０を有する。
【００２７】
噴射制御部１１０は、所定のタイミングで所定の量の燃料を噴射するように燃料噴射装置を制御する。以下では、燃料噴射装置に燃料の噴射を実行させる制御を「噴射制御」といい、燃料噴射装置に燃料の噴射を停止させる制御を「噴射停止制御」という。
【００２８】
スロットル開閉制御部１２０は、スロットルバルブ４を開状態または閉状態に制御する。以下では、スロットルバルブ４を開状態にする制御を「開制御」といい、スロットルバルブ４を閉状態にする制御を「閉制御」という。
【００２９】
情報出力部１３０は、種々の情報をＨＣＵ２０へ出力する。種々の情報は、例えば、開度センサ４により検出された検出開度を示す情報（以下、開度情報という）、回転数センサにより検出された検出回転数を示す情報（以下、回転数情報という）、燃料の噴射量を示す情報などである。
【００３０】
以上、ＥＣＵ１０の構成について説明した。
【００３１】
次に、ＨＣＵ２０の構成について、図３を用いて説明する。図３は、ＨＣＵ２０の構成例を示すブロック図である。
【００３２】
ＨＣＵ２０は、要求出力部２１０、判定部２２０、およびモータ制御部２３０を有する。
【００３３】
要求出力部２１０は、種々の要求をＥＣＵ１０へ出力する。種々の要求は、例えば、エンジン１を停止させる要求（以下、エンジン停止要求という）、開制御の実行の要求（以下、開制御要求という）などがある。
【００３４】
エンジン停止要求は、例えば、走行中の車両が走行を停止したとき（例えば、ブレーキペダルの踏込量が所定値以上であるときや、ギアがドライブからニュートラルに変更されたときなど）に出力される。なお、エンジン停止要求は、噴射停止制御および閉制御の実行の要求と言い換えてもよい。
【００３５】
開制御要求は、例えば、負トルク発生制御が終了した場合に出力される。
【００３６】
なお、本実施の形態において、エンジン１の停止とは、エンジン１の一時的な停止（例えば、アイドリングストップ制御によるエンジン１の停止）を含むものとし、エンジン１の始動とは、エンジン１の再始動（例えば、アイドリングストップ制御によるエンジン１の再始動）を含むものとする。
【００３７】
判定部２２０は、ＥＣＵ１０から受け取った開度情報または回転数情報に基づいて、種々の判定を行う。
【００３８】
例えば、判定部２２０は、開度情報に示される検出開度が第１規定開度以下であるか否かを判定する。第１規定開度とは、例えば、０％、または、０％より大きいが０％に近い値である。
【００３９】
また、例えば、判定部２２０は、開度情報に示される検出開度が第２規定開度以上であるか否かを判定する。第２規定開度とは、クランキングが実行された際にインテークマニホールド２内が負圧にならない値である。また、第２規定開度は、第１規定開度より大きい値である。
【００４０】
また、例えば、判定部２２０は、回転数情報に示される検出回転数が第１規定回転数以下であるか否かを判定する。第１規定回転数とは、例えば、ゼロ、または、ゼロより大きいがほぼゼロに近い値である。
【００４１】
また、例えば、判定部２２０は、回転数情報に示される検出回転数が第２規定回転数以上であるか否かを判定する。第２規定回転数とは、例えば、クランキングの実行により上昇しうる回転数の上限値、または、その上限値より小さいが上限値に近い値である。
【００４２】
モータ制御部２３０は、モータ８に対する制御として、クランキング制御または負トルク発生制御を行う。
【００４３】
クランキング制御とは、モータ８から正トルクを出力させる制御である。このクランキング制御により、モータ８の出力軸９は、エンジン１の回転方向と同方向に回転し、これと同様に、クランクシャフト６も、エンジン１の回転方向と同方向に回転する。
【００４４】
負トルク発生制御とは、モータ８から負トルクを出力させる制御である。この負トルク発生制御により、モータ８の出力軸９およびクランクシャフト６は、エンジン１の回転を制動する。
【００４５】
以上、ＨＣＵ２０の構成について説明した。
【００４６】
次に、ＥＣＵ１０およびＨＣＵ２０の動作について、図４を用いて説明する。図４は、ＥＣＵ１０およびＨＣＵ２０の動作例を示すシーケンスチャートである。
【００４７】
まず、ＨＣＵ２０の要求出力部２１０は、エンジン停止要求をＥＣＵ１０へ出力する（ステップＳ１０１）。このエンジン停止要求は、例えば、走行中の車両の走行を停止させるために、ブレーキペダルの踏込量を所定量以上（換言すれば、ブレーキをオン状態）にする操作が行われたときに、出力される。
【００４８】
ＥＣＵ１０がエンジン停止要求を受け取ると、噴射制御部１１０は、噴射停止制御を実行し、スロットル開閉制御部１２０は、閉制御を行う（ステップＳ１０２）。これにより、エンジン回転数およびスロットルバルブ４の開度は、時間の経過とともに低下する。
【００４９】
そして、情報出力部１３０は、開度情報および回転数情報をＨＣＵ２０へ出力する（ステップＳ１０３）。なお、この出力処理は、所定の時間間隔で複数回行われるとする。
【００５０】
ＨＣＵ２０が開度情報および回転数情報を受け取ると、判定部２２０は、開度情報に示される検出開度が第１規定開度以下であるか否かを判定する（ステップＳ１０４）。
【００５１】
検出開度が第１規定開度以下ではない場合（ステップＳ１０４：ＮＯ）、判定部２２０は、次に受け取った開度情報に示される検出開度が第１規定開度以下であるか否かを判定する。
【００５２】
一方、検出開度が第１規定開度以下である場合（ステップＳ１０４：ＹＥＳ）、モータ制御部２３０は、負トルク発生制御を実行する（ステップＳ１０５）。
【００５３】
このように、本実施の形態では、検出開度が第１規定開度以下ではない場合は負トルク発生制御が実行されず、検出開度が第１規定開度以下となったら負トルク発生制御が実行される。
【００５４】
この負トルク発生制御により、上述したとおり、モータ８の出力軸９およびクランクシャフト６がエンジン１の回転を制動する。よって、低下中のエンジン回転数をより速やかに低下させることができる。
【００５５】
次に、判定部２２０は、回転数情報に示される検出回転数が第１規定回転数以下であるか否かを判定する（ステップＳ１０６）。ここでの回転数情報は、負トルク発生制御が開始された後にＨＣＵ２０が受け取った回転数情報である。
【００５６】
検出回転数が第１規定回転数以下ではない場合（ステップＳ１０６：ＮＯ）、判定部２２０は、次に受け取った回転数情報に示される検出回転数が第１規定回転数以下であるか否かを判定する。
【００５７】
一方、検出回転数が第１規定回転数以下である場合（ステップＳ１０６：ＹＥＳ）、モータ制御部２３０は、負トルク発生制御を終了し、要求出力部２１０は、開制御要求をＥＣＵ１０へ出力する（ステップＳ１０７）。
【００５８】
ＥＣＵ１０が開制御要求を受け取ると、スロットル開閉制御部１２０は、開制御を実行する（ステップＳ１０８）。これにより、スロットルバルブ４の開度は、時間の経過とともに上昇する。
【００５９】
そして、情報出力部１３０は、開度情報および回転数情報をＨＣＵ２０へ出力する（ステップＳ１０９）。なお、この出力処理は、所定の時間間隔で複数回行われるとする。
【００６０】
ここで、例えば、負トルク発生制御の終了後ある程度の時間が経過してから、停止中の車両を発進させるために、ブレーキペダルの踏込量をゼロ（換言すれば、ブレーキをオフ状態）にする操作が行われたとする。換言すれば、エンジン１が再始動する条件（再始動条件という）が満たされたとする。
【００６１】
ＨＣＵ２０の判定部２２０は、開度情報に示される検出開度が第２規定開度以上であるか否かを判定する（ステップＳ１１０）。
【００６２】
検出開度が第２規定開度以上ではない場合（ステップＳ１１０：ＮＯ）、判定部２２０は、次に受け取った開度情報に示される検出開度が第２規定開度以上であるか否かを判定する。
【００６３】
一方、検出開度が第２規定開度以上である場合（ステップＳ１１０：ＹＥＳ）、モータ制御部２３０は、クランキング制御を実行する（ステップＳ１１１）。
【００６４】
このように、本実施の形態では、検出開度が第２規定開度以下である場合はクランキング制御が実行されず、検出開度が第２規定開度以上となったらクランキング制御が実行される。
【００６５】
このクランキング制御により、上述したとおり、モータ８の出力軸９がエンジン１の回転方向と同方向に回転し、クランクシャフト６も、エンジン１の回転方向と同方向に回転する。よって、時間の経過とともにエンジン回転数が上昇する。
【００６６】
その後、ＥＣＵ１０の噴射制御部１１０は、エンジン回転数が規定値に達すると、噴射制御を実行する（ステップＳ１１３）。
【００６７】
一方、判定部２２０は、回転数情報に示される検出回転数が第２規定回転数以上であるか否かを判定する（ステップＳ１１２）。ここでの回転数情報は、クランキング制御が開始された後にＨＣＵ２０が受け取った回転数情報である。
【００６８】
検出回転数が第２規定回転数以上ではない場合（ステップＳ１１２：ＮＯ）、判定部２２０は、次に受け取った回転数情報に示される検出回転数が第２規定回転数以上であるか否かを判定する。
【００６９】
一方、検出回転数が第２規定回転数以上である場合（ステップＳ１１２：ＹＥＳ）、モータ制御部２３０は、クランキング制御を終了する（ステップＳ１１４）。その後、エンジン１は、自立運転する。
【００７０】
以上、ＥＣＵ１０およびＨＣＵ２０の動作について説明した。
【００７１】
次に、本実施の形態の作用効果について説明する。
【００７２】
本実施の形態によれば、駆動中のエンジン１を停止する場合、噴射停止制御および閉制御を実行した後、検出開度が第１規定開度以下となったら負トルク発生制御を実行する。これにより、エンジン１の停止時に気筒の内圧を低下させることができ、エンジン１を再始動する場合、気筒内の残圧によりエンジン１の回転が阻害されることがない。したがって、エンジン１を速やかに始動できる。なお、第１規定スロットル開度以下となる前に負トルク発生制御を実行したとすると、気筒の内圧を負圧にできずにエンジン１を停止させてしまう。そのため、エンジン１を速やかに再始動することはできない。
【００７３】
また、本実施の形態によれば、負トルク発生制御によってクランクシャフト６をエンジン１の回転を制動させる。よって、エンジン回転数をより速やかに停止させることができ、振動の発生を抑制できる。その結果、乗員の不快感を低減できる。
【００７４】
このように、本実施の形態によれば、内燃機関の速やかな停止と、停止した内燃機関の速やかな始動との両立を実現することができる。
【００７５】
また、エンジン１を再始動する場合において、スロットルバルブ４が閉状態のままクランキングが行われると、インテークマニホールド２内が負圧になり、スロットルバルブ４が開状態にならないおそれがある。そこで、本実施の形態では、エンジン１を再始動する場合、開制御を実行した後、検出開度が第２規定開度以上となったらクランキング制御を実行する。これにより、インテークマニホールド２内が負圧にならず、スロットルバルブ４を開状態にできる。
【００７６】
以上、本実施の形態の作用効果について説明した。
【００７７】
以上、本発明の実施の形態について詳述してきたが、本発明は、上述の実施の形態に限定されるものではなく、本発明の趣旨を逸脱しない範囲で、適宜変形して実施することが可能である。以下、各変形例について説明する。
【００７８】
［変形例１］
上記実施の形態では、負トルク発生制御の終了後ある程度の時間が経過してから、再始動条件が満たされた場合を例に挙げて説明したが、その場合以外について、以下に説明する。
【００７９】
まず、負トルク発生制御の終了直後に再始動条件が満たされた場合について説明する。
【００８０】
この場合は、上記実施の形態とほぼ同様の動作となる。すなわち、負トルク発生制御の終了直後に、要求出力部２１０は、開制御要求をＥＣＵ１０へ出力する。そして、モータ制御部２３０は、検出開度が第２規定開度以上となったらクランキング制御を実行する。その後の動作は、実施の形態と同じである。
【００８１】
次に、負トルク発生制御の終了前に（検出回転数が第１規定回転数以下となる前に）再始動条件が満たされた場合について説明する。
【００８２】
この場合、モータ制御部２３０は、再始動条件が満たされた時点で直ちに負トルク発生制御を終了し、要求出力部２１０は、開制御要求をＥＣＵ１０へ出力する。そして、モータ制御部２３０は、検出開度が第２規定開度以上となったらクランキング制御を実行する。その後の動作は、実施の形態と同じである。
【００８３】
［変形例２］
上記実施の形態では、内燃機関がディーゼルエンジンである場合を例に挙げて説明したが、内燃機関はガソリンエンジンであってもよい。
【００８４】
＜本開示のまとめ＞
本発明の制御装置は、内燃機関の気筒内への燃料の噴射を制御する噴射制御部と、前記内燃機関に接続される吸気通路に設けられたスロットルバルブの開閉を制御するスロットル開閉制御部と、前記スロットルバルブの開度が第１規定開度以下であるか否かを判定する判定部と、前記内燃機関のクランクシャフトに所定部材を介して接続された出力軸を回転させるモータを制御するモータ制御部と、を有し、前記モータ制御部は、駆動中の前記内燃機関の停止が行われる場合、前記噴射制御部によって前記燃料の噴射を停止する制御が行われ、かつ、前記スロットル開閉制御部によって前記スロットルバルブを閉状態にする制御が行われた後、前記判定部によって前記スロットルバルブの開度が前記第１規定開度以下であると判定された場合、前記モータから負トルクを出力させる負トルク発生制御を実行する。
【００８５】
なお、上記制御装置において、前記判定部は、前記負トルク発生制御の実行後、前記内燃機関の回転数が第１規定回転数以下であるか否かを判定し、前記モータ制御部は、前記判定部によって前記内燃機関の回転数が前記第１規定回転数以下であると判定された場合、前記負トルク発生制御を終了してもよい。
【００８６】
また、上記制御装置において、前記モータ制御部は、前記判定部によって前記内燃機関の回転数が前記第１規定回転数以下であると判定される前に停止中の前記内燃機関が始動される場合、直ちに前記負トルク発生制御を終了してもよい。
【００８７】
また、上記制御装置において、前記スロットル開閉制御部は、前記負トルク発生制御の終了後に、前記スロットルバルブを開状態にする制御を行ってもよい。
【００８８】
また、上記制御装置において、前記判定部は、停止中の前記内燃機関が始動される場合、前記スロットルバルブの開度が第２規定開度以上であるか否かを判定し、前記モータ制御部は、前記判定部によって前記スロットルバルブの開度が前記第２規定開度以上であると判定された場合、前記モータから正トルクを出力させるクランキング制御を実行してもよい。
【００８９】
また、上記制御装置において、前記判定部は、前記クランキング制御の実行後、前記内燃機関の回転数が第２規定回転数以上であるか否かを判定し、前記モータ制御部は、前記判定部によって前記内燃機関の回転数が前記第２規定回転数以上であると判定された場合、前記クランキング制御を終了してもよい。
【００９０】
また、上記制御装置において、前記噴射制御部は、前記クランキング制御の実行後、前記内燃機関の回転数が規定値に達した場合、前記燃料の噴射を実行してもよい。
【００９１】
本発明の制御方法は、内燃機関の気筒内への燃料の噴射と、前記内燃機関に接続される吸気通路に設けられたスロットルバルブの開閉と、および、前記内燃機関のクランクシャフトに所定部材を介して接続された出力軸を回転させるモータの駆動と、を制御する制御方法であって、駆動中の前記内燃機関の停止が行われる場合、前記燃料の噴射を停止するとともに、前記スロットルバルブを閉状態にする制御を行い、前記スロットルバルブの開度が第１規定開度以下であるか否かを判定し、前記スロットルバルブの開度が前記第１規定開度以下であると判定した場合、前記モータから負トルクを出力させる。
【産業上の利用可能性】
【００９２】
本発明は、内燃機関の停止時に制御を行う制御装置および制御方法に適用できる。
【符号の説明】
【００９３】
１  ディーゼルエンジン
２  インテークマニホールド
３  吸気通路
４  スロットルバルブ
５  開度センサ
６  クランクシャフト
７  無端ベルト
８  モータジェネレータ
９  出力軸
１０  ＥＣＵ
２０  ＨＣＵ
１１０  噴射制御部
１２０  スロットル開閉制御部
１３０  情報出力部
２１０  要求出力部
２２０  判定部
２３０  モータ制御部
【図１】
2018193897.tif 000003
【図２】
2018193897.tif 000004
【図３】
2018193897.tif 000005
【図４】
2018193897.tif 000006